(57)【要約】【課題】ユーザに推薦する番組情報を表示し得る番組表表示装置を提供する。【解決手段】番組表表示装置１０は、ＥＰＧ情報に含まれる各番組情報と推薦ポイントとを関連付けて記憶する番組情報記憶部１３と、各番組の放送時間を示す放送時間軸と、その放送時間における推薦番組の最大数で区分される推薦順位軸とにより２次元表示される推薦番組表テンプレートを作成するテンプレート作成部１６と、予め設定された値以上の推薦ポイントを有する番組情報を推薦番組表テンプレートに推薦ポイント順に書き込んだ推薦番組表を作成する推薦番組表作成部１７とを備える。【選択図】      図１
2007306395.tif 000002
【特許請求の範囲】
【請求項１】
電子番組表に含まれる各番組情報と推薦ポイントとを関連付けて記憶する番組情報記憶手段と、
前記各番組の放送時間を示す放送時間軸を有する推薦番組表のテンプレートを作成するテンプレート作成手段と、
前記番組情報記憶手段に記憶された各番組情報のうち予め設定された値以上の推薦ポイントを有する番組情報を、前記テンプレートに推薦ポイント順に書き込んだ推薦番組表を表示する表示手段と
を備えたことを特徴とする番組表表示装置。
【請求項２】
請求項１に記載の番組表表示装置において、
前記電子番組表に含まれる各番組情報に推薦ポイントを設定する手段
をさらに備えたことを特徴とする番組表表示装置。
【請求項３】
請求項１または請求項２に記載の番組表表示装置において、
前記テンプレート作成手段は、前記各番組の放送時間を示す放送時間軸と、該放送時間における推薦番組の最大数で区分される推薦順位軸とにより２次元表示される推薦番組表のテンプレートを作成する
ことを特徴とする番組表表示装置。
【請求項４】
請求項３に記載の番組表表示装置において、
前記テンプレートの推薦順位軸における推薦番組の最大数を指定する手段
をさらに備えたことを特徴とする番組表表示装置。
【請求項５】
請求項３乃至請求項４のいずれか１項に記載の番組表表示装置において、
前記表示手段は、前記推薦番組表の放送時間軸に一致させて、放送時間軸とチャンネル軸とにより２次元表示される電子番組表を表示する
ことを特徴とする番組表表示装置。
【請求項６】
請求項１または請求項２に記載の番組表表示装置において、
前記テンプレート作成手段は、前記各番組の放送時間軸と放送曜日軸とにより２次元表示される週間推薦番組表のテンプレートを作成する
ことを特徴とする番組表表示装置。
【請求項７】
請求項１乃至請求項６のいずれか１項に記載の番組表表示装置において、
前記表示手段は、前記推薦ポイントに応じて、前記各番組情報を異なる色で示した推薦番組表を表示する
ことを特徴とする番組表表示装置。
【請求項８】
請求項１乃至請求項７のいずれか１項に記載の番組表表示装置において、
前記表示手段は、前記推薦ポイントに応じたマークを前記各番組情報に付加した推薦番組表を表示する
ことを特徴とする番組表表示装置。
【請求項９】
請求項1乃至請求項８のいずれか1項に記載の番組表表示装置において、
前記表示手段は、予め設定された個数の番組情報を、前記テンプレートに推薦ポイント順に書き込んだ推薦番組表を表示する
ことを特徴とする番組表表示装置。
【請求項１０】
請求項1乃至請求項８のいずれか1項に記載の番組表表示装置において、
前記表示手段は、予め設定された時間分の番組情報を、前記テンプレートに推薦ポイント順に書き込んだ推薦番組表を表示する
ことを特徴とする番組表表示装置。
【請求項１１】
電子番組表に含まれる各番組情報と推薦ポイントとを関連付けて記憶する番組情報記憶ステップと、
前記各番組の放送時間を示す放送時間軸を有する推薦番組表のテンプレートを作成するテンプレート作成ステップと、
前記番組情報記憶ステップにより記憶された各番組情報のうち予め設定された値以上の推薦ポイントを有する番組情報を、前記テンプレートに推薦ポイント順に書き込んだ推薦番組表を表示する表示ステップと
を備えたことを特徴とする番組表表示方法。
【発明の詳細な説明】
【技術分野】
【０００１】
本発明は、テレビジョン受像機や録画機器における電子番組表を表示する装置および方法に係り、例えば、ユーザに推薦する番組の情報のみを表示し得る番組表表示装置および方法に関する。
【背景技術】
【０００２】
近年、電子番組ガイド（ＥＰＧ：Electronic Program Guide）等の電子番組表が利用されている。これにより、ユーザは、テレビジョン受像機（ＴＶ装置）や録画機器で番組表の情報を得て、表示画面に電子番組表を表示することができる。
【０００３】
しかし、ＴＶ装置の表示画面に映し出せる文字数は限られており、新聞等のテレビ欄に比べて一覧性が低い。また、視聴可能なチャンネル数の増加により、所望のチャンネルまたは番組を探すのに手間がかかっている。
【０００４】
このような状況において、多数のチャンネルの中から、ユーザが所望するチャンネルを効率よく、正確に選択して視聴できるようにする電子番組ガイド受信システムが提案されている（例えば、特許文献１参照）。
【特許文献１】特開２０００−２５３３２５号公報
【発明の開示】
【発明が解決しようとする課題】
【０００５】
しかしながら、上述した特許文献１に示す発明は、各放送時間帯における番組情報を視聴推薦度（おすすめ度）の順に表示するものである。それゆえ、全放送時間帯を考慮した場合に、必ずしも視聴推薦度が高いとはいえない番組情報が視聴推薦度の高い番組情報として表示されることがある。
【０００６】
本発明は上記実情に鑑みてなされたものであり、ユーザに推薦する番組情報を表示し得る番組表表示装置を提供することを目的する。
【課題を解決するための手段】
【０００７】
本発明は上記課題を解決するために以下の手段を講じる。
【０００８】
請求項１に対応する発明は、電子番組表に含まれる各番組情報と推薦ポイントとを関連付けて記憶する番組情報記憶手段と、前記各番組の放送時間を示す放送時間軸を有する推薦番組表のテンプレートを作成するテンプレート作成手段と、前記番組情報記憶手段に記憶された各番組情報のうち予め設定された値以上の推薦ポイントを有する番組情報を、前記テンプレートに推薦ポイント順に書き込んだ推薦番組表を表示する表示手段とを備えた番組表表示装置である。
【０００９】
請求項２に対応する発明は、請求項１に対応する番組表表示装置において、前記電子番組表に含まれる各番組情報に推薦ポイントを設定する手段をさらに備えた番組表表示装置である。
【００１０】
請求項３に対応する発明は、請求項１または請求項２に対応する番組表表示装置において、前記テンプレート作成手段は、前記各番組の放送時間を示す放送時間軸と、該放送時間における推薦番組の最大数で区分される推薦順位軸とにより２次元表示される推薦番組表のテンプレートを作成する番組表表示装置である。
【００１１】
請求項４に対応する発明は、請求項３に対応する番組表表示装置において、前記テンプレートの推薦順位軸における推薦番組の最大数を指定する手段をさらに備えた番組表表示装置である。
【００１２】
請求項５に対応する発明は、請求項３乃至請求項４のいずれか１項に対応する番組表表示装置において、前記表示手段は、前記推薦番組表の放送時間軸に一致させて、放送時間軸とチャンネル軸とにより２次元表示される電子番組表を表示する番組表表示装置である。
【００１３】
請求項６に対応する発明は、請求項１または請求項２に対応する番組表表示装置において、前記テンプレート作成手段は、前記各番組の放送時間軸と放送曜日軸とにより２次元表示される週間推薦番組表のテンプレートを作成する番組表表示装置である。
【００１４】
請求項７に対応する発明は、請求項１乃至請求項６のいずれか１項に対応する番組表表示装置において、前記表示手段は、前記推薦ポイントに応じて、前記各番組情報を異なる色で示した推薦番組表を表示する番組表表示装置である。
【００１５】
請求項８に対応する発明は、請求項１乃至請求項７のいずれか１項に対応する番組表表示装置において、前記表示手段は、前記推薦ポイントに応じたマークを前記各番組情報に付加した推薦番組表を表示する番組表表示装置である。
【００１６】
請求項９に対応する発明は、請求項1乃至請求項８のいずれか1項に記載の番組表表示装置において、前記表示手段は、予め設定された個数の番組情報を、前記テンプレートに推薦ポイント順に書き込んだ推薦番組表を表示する番組表表示装置である。
【００１７】
請求項１０に対応する発明は、請求項1乃至請求項８のいずれか1項に記載の番組表表示装置において、前記表示手段は、予め設定された時間分の番組情報を、前記テンプレートに推薦ポイント順に書き込んだ推薦番組表を表示する番組表表示装置である。
【００１８】
請求項１１に対応する発明は、電子番組表に含まれる各番組情報と推薦ポイントとを関連付けて記憶する番組情報記憶ステップと、前記各番組の放送時間を示す放送時間軸を有する推薦番組表のテンプレートを作成するテンプレート作成ステップと、前記番組情報記憶ステップにより記憶された各番組情報のうち予め設定された値以上の推薦ポイントを有する番組情報を、前記テンプレートに推薦ポイント順に書き込んだ推薦番組表を表示する表示ステップとを備えた番組表表示方法である。
【００１９】
＜作用＞
請求項１・１１に対応する発明は、電子番組表に含まれる各番組情報と推薦ポイントとを関連付けて記憶する番組情報記憶手段と、各番組の放送時間を示す放送時間軸を有する推薦番組表のテンプレートを作成するテンプレート作成手段と、予め設定された値以上の推薦ポイントを有する番組情報をテンプレートに推薦ポイント順に書き込んだ推薦番組表を表示する表示手段とを備えた構成により、ユーザに推薦する番組情報を表示し得る番組表表示装置を提供することができる。
【００２０】
請求項２に対応する発明は、請求項１に対応する作用に加え、電子番組表に含まれる各番組情報に推薦ポイントを設定する手段を備えているので、各番組情報を推薦ポイント順に表示することができる。
【００２１】
請求項３に対応する発明は、請求項１・２に対応する作用に加え、テンプレート作成手段は、各番組の放送時間を示す放送時間軸と該放送時間における推薦番組の最大数で区分される推薦順位軸とにより２次元表示される推薦番組表のテンプレートを作成するので、各放送時間帯における推薦番組を表示することができる。
【００２２】
請求項４に対応する発明は、請求項３に対応する作用に加え、テンプレートの推薦順位軸における推薦番組の最大数を指定する手段をさらに備えているので、推薦順位が1位の番組以外に、２位や３位の推薦番組も表示することができる。
【００２３】
請求項５に対応する発明は、請求項３・４に対応する作用に加え、表示手段は、推薦番組表の放送時間軸に一致させて、放送時間軸とチャンネル軸とにより２次元表示される電子番組表を表示するので、電子番組表と推薦番組表とを一緒に並べて表示することができる。
【００２４】
請求項６に対応する発明は、請求項１・２に対応する作用に加え、テンプレート作成手段は、各番組の放送時間軸と放送曜日軸とにより２次元表示される週間推薦番組表のテンプレートを作成するので、１週間の間に放送される番組のうち、ユーザに推薦する番組情報のみを表示することができる。
【００２５】
請求項７に対応する発明は、請求項６に対応する作用に加え、表示手段は、推薦ポイントに応じて、各番組情報を異なる色で示した推薦番組表を表示するので、推薦番組と他の番組とを区別してユーザに認識させることができる。
【００２６】
請求項８に対応する発明は、請求項７に対応する作用に加え、表示手段は、推薦ポイントに応じたマークを、各番組情報に付加した推薦番組表を表示するので、推薦番組と他の番組とを区別してユーザに認識させることができる。
【００２７】
請求項９・１０に対応する発明は、請求項１〜８に対応する作用に加え、表示手段は、予め設定された個数または時間分の番組情報を、推薦ポイント順に書き込んだ推薦番組表を表示するので、例えば、録画装置により番組を自動録画する際に、記録媒体等の記録容量を超えて録画予約することを回避することができる。
【発明の効果】
【００２８】
本発明によれば、ユーザに推薦する番組情報を表示できる。
【発明を実施するための最良の形態】
【００２９】
以下、図面を参照して本発明の実施形態を説明する。
【００３０】
＜第1の実施形態＞
（１−１．構成）
図１は本発明の第１の実施形態に係る番組表表示装置１０の構成を示す模式図である。
【００３１】
番組表表示装置１０は、アンテナ部１１・ＥＰＧ情報取得部１２・番組情報記憶部１３・推薦ポイント設定部１４・推薦番組リスト作成部１５・テンプレート作成部１６・推薦番組表作成部１７・出力部１８を備えており、入力装置２０からの表示命令に応じて、表示装置３０に推薦番組表を表示するものである。
【００３２】
アンテナ部１１は、ＥＰＧ情報（電子番組表）やＴＶ放送番組を受信するためのアンテナである。また、受信したＥＰＧ情報を、ＥＰＧ情報取得部１２を介して、番組情報記憶部１３へ送出する。
【００３３】
番組情報記憶部１３は、ＥＰＧ情報取得部１２から送出されたＥＰＧ情報を、推薦ポイントＡと関連付けて記憶するものである。具体的には、図２に示すデータ構造を有する「番組表データベース」が構築される。番組表データベースには、番組が放送されるチャンネル・番組の放送開始日時Ｔｓ・放送終了日時Ｔｅ・番組のタイトル・サブタイトル・出演者・ジャンル・番組説明・推薦ポイントＡ等が関連付けられて記憶される。
【００３４】
推薦ポイント設定部１４は、ＥＰＧ情報から得られる各番組に対し、視聴を推薦する程度を数値化した「推薦ポイントＡ」を設定するものである。推薦ポイントＡは、例えば、ネットワークを介して外部のサーバから配信される値を用いることができる。また、番組表表示装置１０の内部に推薦ポイント計算装置を設けて、この推薦ポイント計算装置により計算された値を用いてもよい。推薦ポイント計算装置は、録画や視聴の実績に応じて、確立推論や嗜好単語のポイントカウントなどの手段によって番組毎に推薦ポイントを計算する。また、嗜好単語のポイントカウントは、番組タイトルや番組説明情報などに、ユーザの嗜好を示す嗜好単語が含まれているか否かを検出し、検出した嗜好単語に基づいて推薦ポイントを求める方法である。
【００３５】
推薦番組リスト作成部１５は、番組情報記憶部１３に記憶された各番組情報のうち、予め設定された値以上の推薦ポイントを有する番組情報を推薦ポイント順に読み出した「推薦番組リスト」を作成するものである。
【００３６】
具体的には、図３に示す手順により推薦番組リストを作成する。まず、アンテナ部１１・ＥＰＧ情報取得部１２を介してＥＰＧ情報を取得して、番組情報記憶部１３の番組表データベースに書き込む（ステップＳ１）。それから、推薦ポイント設定部１４で設定された番組毎の推薦ポイントＡを、番組情報記憶部１３の番組表データベースに書き込む（ステップＳ２）。続いて、番組情報記憶部１３に記憶された各番組情報を推薦ポイントの高い順にソートする（ステップＳ３）。そして、予め設定された足切り点Ｋ以上の推薦ポイントを有する番組群を番組情報記憶部１３の番組表データベースから読み出し、読み出した番組群を書き込んだ推薦番組リストを作成する（ステップＳ４）。
【００３７】
テンプレート作成部１６は、推薦番組表の雛型データである「推薦番組表テンプレート」を作成するものである。推薦番組表テンプレートは、いわゆる“空の番組表”であり、番組情報が記載されていない番組表である。詳しくは、推薦番組表テンプレートは、各番組の放送時間を示す放送時間軸と、その放送時間における推薦番組の最大数で区分される推薦順位軸とにより２次元表示される表である。例えば、推薦順位軸における推薦番組の最大数Ｍが２の場合、推薦番組表テンプレートは、図４に示すように、放送時間軸に対して、“お薦め欄（推薦順位1位）”と“次にお薦め欄（推薦順位２位）”との２つの番組欄を有するものとなる。
【００３８】
推薦番組表作成部１７は、推薦番組表テンプレートに、推薦番組リストに読み出された各番組情報を推薦ポイント順に書き込んだ「推薦番組表」を作成するものである。例えば、図４に示すように、推薦番組表テンプレートの各推薦番組欄Ｒ１・Ｒ２に、推薦ポイントの高い順に番組情報が書き込まれることにより推薦番組表が作成される。ただし、推薦番組表の作成に際し、放送時間帯が一部分も重ならないように推薦番組欄に番組情報が書き込まれる。
【００３９】
出力部１８は、推薦番組表作成部１７により作成された推薦番組表を外部の表示装置３０に出力するものである。
【００４０】
入力装置２０は、推薦番組表を表示装置３０等に表示させるための「表示命令」を送出するものである。入力装置２０として、例えばリモートコントローラが用いられた場合には、ユーザは遠隔操作により推薦番組表を表示装置３０に表示することができる。また、入力部１１は、必要に応じて、番組表情報における各番組に推薦ポイントＡを設定することができる。また、入力部１１は、推薦番組表テンプレート（空の番組表）の推薦順位軸における推薦番組の最大数Ｍを指定する機能を有する。
【００４１】
表示装置３０は、推薦番組表を表示するものであり、ＴＶ装置等のディスプレイが用いられる。
【００４２】
（１−２．動作）
次に、本実施形態に係る番組表表示装置１０の動作を図５のフローチャートを用いて説明する。
【００４３】
前提として、番組表表示装置１０を使用する際には、推薦順位軸の最大数Ｍを指定しておく必要がある。そこで、ユーザの動作により、入力装置２０を介して最大数Ｍが指定される（ステップＴ１）。最大数Ｍが指定されると、推薦順位軸をＭ個に区分けした推薦番組表テンプレートがテンプレート作成部１６により作成される。すなわち、１番目からＭ番目までの推薦順位を示す軸を有する推薦番組表テンプレートが作成される（ステップＴ２）。例えば、最大数Ｍが２のときは、各時間帯における推薦順位が１位と２位の２つの番組欄が表示されたテンプレートが作成される。最大数Ｍが３のときは、各時間帯の推薦順位が１位と２位と３位の３つの番組欄が表示されたテンプレートが作成される。なお、最大数Ｍは、デフォルトで値が設定されていてもよい。この場合、番組表表示装置１０を使用する度に最大数Ｍを指定する必要が無くなる。
【００４４】
次に、番組表表示装置１０が推薦番組表を表示装置３０に表示する際の動作を説明する。
【００４５】
始めに、ユーザの動作により、入力装置２０から推薦番組表の「表示命令」が番組表表示装置１０に送出される（ステップＴ３）。
【００４６】
続いて、番組表表示装置１０が入力装置２０から表示命令を受け取り、推薦番組リスト作成部１５が推薦番組リストを作成する（ステップＴ４）。ここでは、Ｎ個の推薦番組の番組情報が推薦番組リストに書き込まれているものとする。
【００４７】
次に、推薦番組リスト作成部１５により推薦番組リストが作成されると、この推薦番組リストに書き込まれた番組情報を推薦番組表作成部１７が推薦ポイント順に読み出す（ステップＴ５，Ｔ６）。
【００４８】
そして、推薦番組表作成部１７は、推薦ポイントの大きさがｉ（ｉ≦Ｎ）番目の推薦番組（以下、「番組Ｂ（ｉ）」と表記する）の番組情報を、推薦番組表テンプレートにおける推薦順位がｊ番目の番組欄（以下、「番組欄Ｒ（ｊ）」と表記する）に書き込むことができるか否かを判定する（ステップＴ７−Ｙｅｓ〜Ｔ１０）。
【００４９】
具体的には、推薦番組表作成部１７は、推薦順位ｊと推薦順位の最大数Ｍとを比較する（ステップＴ１０）。比較の結果、推薦順位ｊが最大数Ｍより小さい場合（ｊ≦Ｍ）、推薦番組表作成部１７は、番組Ｂ（ｉ）における放送開始日時Ｔｓと放送終了日時Ｔｅとを推薦番組リストから読み出す（ステップＴ１０−Ｙｅｓ〜Ｔ１２）。そして、番組欄Ｒ（ｊ）のＴｓ〜Ｔｅの時間帯に、他の番組情報が既に書き込まれているか否かを判定する（ステップＴ１３）。
【００５０】
他の番組情報が書き込まれていないと判定した場合、推薦番組表作成部１７は、番組欄Ｒ（ｊ）のＴｓ〜Ｔｅの時間帯に番組Ｂ（ｉ）の番組情報を書き込む（ステップＴ１３−Ｙｅｓ，Ｔ１４）。書き込みが終了したら、次の推薦番組Ｂ（ｉ＋１）に対して同様の処理を行なう（ステップＴ６）。
【００５１】
一方、ステップＴ１３において、番組欄Ｒ（ｊ）のＴｓ〜Ｔｅの時間帯に、他の番組情報が既に書き込まれていると判定した場合、推薦番組表作成部１７は、番組欄Ｒ（ｊ）についての処理を終了して、推薦順位がｊ＋１番目の番組欄Ｒ（ｊ＋１）について同様の処理を行なう（ステップＴ１３−Ｎｏ，Ｔ８）
また、ステップＴ１０において、推薦順位ｊが最大数Ｍより大きいと推薦番組表作成部１７が判定した場合には、番組Ｂ（ｉ）の番組情報を推薦番組表テンプレートに書き込むことができないので、番組Ｂ（ｉ）に対する処理を終了し、次の推薦番組Ｂ（ｉ+１）に対する処理を行なう（ステップＴ１０−Ｎｏ，Ｔ６）。
【００５２】
上述したようなステップＴ６〜Ｔ１４の処理を、推薦番組表作成部１７は、推薦番組リストに書き込まれたＮ個の推薦番組に対して行なう。そして、Ｎ番目の推薦番組に対する処理が終了した時点での推薦番組表テンプレートを「推薦番組表」として出力部１８を介して表示装置３０へ送出する（ステップＴ７−Ｎｏ）。
【００５３】
これを受けて、表示装置３０が推薦番組表を表示画面に表示する（Ｔ１５）。
【００５４】
（１−３．効果）
以上説明したように、本実施形態に係る番組表表示装置１０は、ＥＰＧ情報（電子番組表）に含まれる各番組情報と推薦ポイントとを関連付けて記憶する番組情報記憶部１３と、各番組の放送時間を示す放送時間軸とその放送時間における推薦番組の最大数で区分される推薦順位軸とにより２次元表示される推薦番組表テンプレートを作成するテンプレート作成部１６と、予め設定された足切り点Ｋ以上の推薦ポイントを有する番組情報を推薦ポイント順に読み出した推薦番組リストを作成する推薦番組リスト作成部１５と、推薦番組リストに読み出された各番組情報を推薦番組表テンプレートに推薦ポイント順に書き込んだ推薦番組表を作成する推薦番組表作成部１７とを備えた構成により、ユーザに推薦する番組情報のみを表示した推薦番組表を提供することができる。
【００５５】
補足すると、番組表表示装置１０は上述した構成を備えるので、複数の推薦番組のチャンネル（ｃｈ）が異なり、且つ時間帯が重なっている場合には、推薦順位の低い方を別の推薦番組欄（１欄下）に表示することができる。すなわち、時間帯が重複しない推薦番組の推薦順位の高いものをできるだけ多く集めて、推薦順位が１位の推薦番組欄に表示する。また、時間帯が重複したため、推薦順位が1位の推薦番組欄に表示できなかった推薦番組を推薦順位が２位以下の推薦番組欄に表示する。
【００５６】
また、番組毎にユーザへの推薦ポイントが計算されているので、そのアルゴリズム（キーワードポイント加算、確立推論など）に関わらず、毎週録画または視聴する番組が推薦番組として選択される。すなわち、番組名や出演者の一致性が高い番組は、推薦ポイントが高くなり、ユーザが気にしている番組として選択される。そこで、本実施形態に係る番組表表示装置１０を用いれば、ユーザの嗜好に合った推薦番組を同じ推薦番組欄に表示するので、リモコン等を操作して、その推薦番組を探す手間を省くことができる。
【００５７】
また、番組表表示装置１０は、推薦番組表テンプレートにおける推薦番組の最大数を入力装置２０を介して指定することができるので、推薦順位が1位の番組以外に、２位や３位の番組も表示することができる。そのため、複数の番組を同時に録画できる「マルチ録画機能」を備えた録画機器と組み合わせれば、１〜３位の推薦番組のみを録画することも可能となる。
【００５８】
なお、推薦番組表は、一般的な電子番組表と一緒に並べて表示することもできる。ここで、一般的な電子番組表とは、図６に示すように、チャンネル軸と放送時間軸とにより２次元表示された番組表のことである。すなわち、一般的な電子番組表の放送時間軸を、推薦番組表の放送時間軸に一致させることにより、図７に示すように、両者を並べて表示することができる。これにより、ユーザは、時間帯毎に放送される番組と推薦番組とを比較することができる。
【００５９】
なお、本実施形態に係る番組表表示装置１０は、推薦番組リストを作成する際に、足切り点Ｋを設定しているので、推薦番組欄に推薦番組が存在しない時間帯が生じることがある。この場合、推薦番組表に空白部分が表示される。すなわち、本実施形態に係る番組表表示装置１０によれば、足切り点Ｋ以上の推薦ポイントを有する推薦番組の番組情報が表示された推薦番組表が提供される。これにより、全番組情報を推薦ポイント順に並べ替えた推薦番組表に比して、ユーザに直感的に推薦番組の番組情報を提供することができる。
【００６０】
なお、推薦番組表作成部１７は、推薦ポイントに応じて、各番組情報を異なる色で示した推薦番組表を作成してもよい。これにより、他の番組と区別してユーザの視覚に推薦番組を認識させることができる。
【００６１】
また、推薦番組表作成部１７は、推薦ポイントに応じたマークを、各番組情報に付加した推薦番組表を表示してもよい。これにより、他の番組と区別してユーザの視覚に推薦番組を認識させることができる。
【００６２】
なお、本実施形態においては、固定的な推薦ポイントの値を有する足切り点Ｋを用いて推薦番組リストを作成しているが、１日あたりもしくは1週間あたりの推薦個数もしくは推薦番組の総容量もしくは推薦番組の総時間に基づいて推薦番組リストを作成しても良い。例えば、1週間に１８番組しか推薦しないように推薦番組リストを作成したり、１日に6時間までしか推薦しないように推薦番組リストを作成したりしてもよい。これにより、例えば、録画装置により番組を自動録画する際に、記録媒体等の記録容量を超えて録画予約することを回避することができる。
【００６３】
＜第２の実施形態＞
本発明の第２の実施形態では、第１の実施形態の推薦番組表とは異なるテンプレートを使用した週間推薦番組表を表示する番組表表示装置１０Ｗについて説明する。なお、既に説明した部分と同一部分には同一符号を付し、重複した説明を省略する。
【００６４】
本実施形態に係るテンプレート作成部１６では、1週間の推薦番組を表示するための週間推薦番組表テンプレートを作成する機能を有する。「週間推薦番組表テンプレート」は、各番組の放送時間を示す放送時間軸と、各番組の放送曜日を示す放送曜日軸とにより２次元表示されるテンプレートである。
【００６５】
また、推薦番組表作成部１７は、週間推薦番組表テンプレートに、推薦番組リストに読み出された各番組情報を推薦ポイント順に書き込んだ「週間推薦番組表」を作成する。具体的には、図８に示すように、１週間の間に放送される番組のうち、推薦順位が1位の番組のみを表示した週間推薦番組表を作成する。
【００６６】
なお、推薦順位が1位の番組のみを表示した週間推薦番組表のみならず、推薦順位が２位の番組のみを表示した週間推薦番組表を作成することもできる。詳しくは、推薦順位が1位の週間推薦番組表を作成する際に、時間帯が重複したために書き込めなかった推薦番組の番組情報を、他の週間推薦番組表テンプレートに改めて書き込んで週間推薦番組表を作成する。そのため、１位の週間推薦番組表と２位の週間推薦番組表とは別々に表示されることになる。
【００６７】
以上説明したように、本実施形態に係る電子番組表表示装置１０Ｗは、電子番組表に含まれる各番組情報と推薦ポイントとを関連付けて記憶する番組情報記憶部１３と、各番組の放送時間軸と放送曜日軸とにより２次元表示される週間推薦番組表テンプレートを作成するテンプレート作成部１６と、予め設定された足切り点Ｋ以上の推薦ポイントを有する番組情報を推薦ポイント順に読み出した推薦番組リストを作成する推薦番組リスト作成部１５と、推薦番組リストに読み出された各番組情報を週間推薦番組表テンプレートに推薦ポイント順に書き込んだ週間推薦番組表を作成する推薦番組表作成部１７とを備えた構成により、１週間の間に放送される番組のうち、ユーザに推薦する番組の番組情報のみを表示した週間推薦番組表を提供することができる。
【００６８】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６９】
【図１】本発明の第１の実施形態に係る番組表表示装置１０の構成を示す模式図である。
【図２】同実施形態に係る「番組表データベース」のデータ構造を示す図である。
【図３】同実施形態に係る推薦番組リストの作成手順を示す図である。
【図４】同実施形態に係る推薦番組表テンプレートを説明するための図である。
【図５】同実施形態に係る番組表表示装置１０の動作を説明するためのフローチャートである。
【図６】一般的な電子番組表を示す図である。
【図７】一般的な電子番組表と推薦番組表とを並べて表示したときの図である。
【図８】本発明の第２の実施形態に係る週間推薦番組表を示す図である。
【符号の説明】
【００７０】
１０・１０Ｗ・・・番組表表示装置、１１・・・アンテナ部、１２・・・ＥＰＧ情報取得部、
１３・・・番組情報記憶部、１４・・・推薦ポイント設定部、１５・・・推薦番組リスト作成部、
１６・・・テンプレート作成部、１７・・・推薦番組表作成部、１８・・・出力部、
２０・・・入力装置、３０・・・表示装置。
【図１】
2007306395.tif 000003
【図２】
2007306395.tif 000004
【図３】
2007306395.tif 000005
【図４】
2007306395.tif 000006
【図５】
2007306395.tif 000007
【図６】
2007306395.tif 000008
【図７】
2007306395.tif 000009
【図８】
2007306395.tif 000010